(57)【要約】【課題】  中央部のみならず周辺部での明るさを向上させ、光装飾効果に優れた遊技機用発光素子式装飾装置と、それを用いた遊技機用入賞装置を提供する。【解決手段】  台板４は、遊技盤の盤面２００に固定するためのベース部１０と、ベース部１０との一体成形により重合形成される導光部２０とを有している。ベース部１０は、遊技者側（前方側）から見て所定の広がりを有する板状に形成され、遊技者の位置する前方側に遊技球を通過させるための球通過面１１が形成される一方、反対側（後方側）には遊技盤の盤面２００に取り付けるための取付面１２が形成されている。導光部２０は、ベース部１０の取付面１２側において、自身の後面２１が盤面２００に対して部分的に接触しつつ、盤面２００に沿って面状に広がっている。発光部３０は、盤面２００（すなわちベース部１０の取付面１２）に光軸Ｏ１を平行状に沿わせる形で配置された２個のＬＥＤ素子３１，３１と、そのＬＥＤ素子３１，３１が実装された発光基板３２とを有する。【選択図】  図４
2006175064.tif 000002
【特許請求の範囲】
【請求項１】
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、透光性を有するベース部と、
そのベース部の取付面側において、自身の後面が前記盤面に対して接近又は接触する形態で、その盤面に沿って面状の広がりを有して前記ベース部と一体成形により重合されるとともに、透光性を有する導光部と、
前記盤面に光軸を沿わせる形で配置された発光素子と、その発光素子が実装された発光基板とを有する発光部と、を備え、
前記発光素子からの光は、前記導光部の後面に沿って拡散しつつ面状に伝搬し、かつ前記導光部及び／又はベース部をその厚み方向の前方に位置する遊技者側に向けて透過して装飾することを特徴とする遊技機用発光素子式装飾装置。
【請求項２】
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、透光性を有するベース部と、
そのベース部の取付面側において、自身の後面が前記盤面に対して部分的に接触する形態で、その盤面に沿って面状の広がりを有して前記ベース部と一体成形により重合されるとともに、透光性を有する導光部と、
前記盤面に光軸を沿わせる形で配置された発光素子と、その発光素子が実装された発光基板とを有する発光部と、
前記ベース部の前方側に配置され、遊技者側から見てそのベース部を部分的に覆って装飾する前側装飾部と、を備え、
前記発光素子からの光は、前記導光部の後面に沿って拡散しつつ面状に伝搬し、かつその拡散及び伝搬した光のうちの少なくとも一部が前記盤面で反射して、前記導光部及びベース部をその厚み方向の前方に位置する遊技者側に向けて透過して装飾することを特徴とする遊技機用発光素子式装飾装置。
【請求項３】
前記導光部の後面には、前記ベース部の外形線の内側に位置する導光基準線を通る厚み方向断面において、厚み方向の前方側に窪む凹部が、その導光基準線に沿って連続的に又は断続的に形成され、
前記発光素子からの光は、前記導光基準線に沿って形成された凹部の底及び／又は開口で拡散しつつ前記導光部の後面を面状に伝搬する請求項１又は２に記載の遊技機用発光素子式装飾装置。
【請求項４】
前記発光素子の光軸は、前記ベース部と導光部との一体成形部位の内部を通り前記盤面と平行状に配置されている請求項１ないし３のいずれか１項に記載の遊技機用発光素子式装飾装置。
【請求項５】
前記ベース部は、そのベース部を部分的に光らせるために、前方側に向かう光軸を有する副発光素子と、その副発光素子が実装され、前記ベース部に保持される副発光基板と、を有する副発光部を備え、
前記副発光素子からの光は、前方に位置する遊技者側に向けて前記ベース部を透過する副装飾光としてそれ自身単独の形態で、又は前記装飾光と混合される複合形態で前記ベース部を装飾する請求項１ないし４のいずれか１項に記載の遊技機用発光素子式装飾装置。
【請求項６】
前記発光部の発光基板は、前記ベース部と前側装飾部との間に位置してそれらベース部及び／又は前側装飾部に保持されている請求項２ないし５のいずれか１項に記載の遊技機用発光素子式装飾装置。
【請求項７】
前記前側装飾部は、その前側装飾部を部分的に光らせるために、前方側に向かう光軸を有する補助発光素子と、その補助発光素子が実装され、前記ベース部及び前側装飾部の間に位置してそれらベース部及び／又は前側装飾部に保持される補助発光基板と、前記補助発光素子からの光を前方に位置する遊技者側に向けて透過させるレンズ体と、を有する補助発光部を備え、
遊技者側から見て、前記補助発光素子と補助発光基板とは前記前側装飾部の装飾主体で覆われるとともに、前記レンズ体はその装飾主体に形成された開口に保持・固定され、
前記発光素子からの光は、前記導光部及びベース部を透過する装飾光としてそれら導光部及びベース部を装飾する一方、
前記補助発光素子からの光は、前記レンズ体を透過する補助装飾光としてそのレンズ体を装飾する請求項２ないし６のいずれか１項に記載の遊技機用発光素子式装飾装置。
【請求項８】
前記レンズ体の受光面は前後方向に傾斜して配置されるとともに、
その受光面には、前記レンズ体の水平断面において前方側に窪むレンズ体凹部が前記補助発光素子の光軸と平行状に複数形成されている請求項７に記載の遊技機用発光素子式装飾装置。
【請求項９】
前記発光基板と補助発光基板とは、前記発光素子及び補助発光素子が実装された単一の基板で構成され、その単一の基板は前記ベース部及び／又は前側装飾部に保持されている請求項７又は８に記載の遊技機用発光素子式装飾装置。
【請求項１０】
請求項２ないし９のいずれか１項に記載の遊技機用発光素子式装飾装置において、
前記ベース部と前記前側装飾部との間に配置され、前後方向の軸線周りでの回動変位により遊技球の入球のし易さが変化する一対の回動翼片と、
前記遊技盤の盤面とは反対側の裏面に固定され、前記回動翼片を回動変位させるための駆動源と、
その駆動源の駆動力を前記回動翼片に伝達するための伝動機構と、
を備えることを特徴とする遊技機用入賞装置。
【発明の詳細な説明】
【技術分野】
【０００１】
本発明は、遊技機用発光素子式装飾装置及びそれを用いた遊技機用入賞装置に関する。
【背景技術】
【０００２】
例えば、電動チューリップ等の遊技機用入賞装置において、入賞装置を遊技盤の盤面に取り付けるためのベース板（台板ともいう）の後方（裏側）にランプを設け、ベース板の中央部に形成されたレンズ部を後方側から照明することによって、光装飾効果を高める工夫がなされている（特許文献１，２参照）。
【０００３】
【特許文献１】実開平６−２９５８１号公報
【特許文献２】特開平８−３３６６３８号公報
【０００４】
このような入賞装置等を遊技盤面上に設置することによって、遊技盤面上の照明効果（光装飾効果）を高めることができる。ところが、たとえベース板を透明樹脂板で構成しても、遊技者側から見ればベース板の中央部のみが明るく光り、その周辺部での明るさには限界があるので、十分な光装飾効果を得られないおそれがあった。
【発明の開示】
【発明が解決しようとする課題】
【０００５】
本発明の課題は、中央部のみならず周辺部での明るさを向上させ、光装飾効果に優れた遊技機用発光素子式装飾装置と、それを用いた遊技機用入賞装置を提供することにある。
【課題を解決するための手段及び発明の効果】
【０００６】
上記課題を解決するために、本発明の遊技機用発光素子式装飾装置は、
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、透光性を有するベース部と、
そのベース部の取付面側において、自身の後面が前記盤面に対して接近又は接触する形態で、その盤面に沿って面状の広がりを有して前記ベース部と一体成形により重合されるとともに、透光性を有する導光部と、
前記盤面に光軸を沿わせる形で配置された発光素子と、その発光素子が実装された発光基板とを有する発光部と、を備え、
前記発光素子からの光は、前記導光部の後面に沿って拡散しつつ面状に伝搬し、かつ前記導光部及び／又はベース部をその厚み方向の前方に位置する遊技者側に向けて透過して装飾することを特徴とする。
【０００７】
また、上記課題を解決するために、本発明の遊技機用発光素子式装飾装置は、
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、透光性を有するベース部と、
そのベース部の取付面側において、自身の後面が前記盤面に対して部分的に接触する形態で、その盤面に沿って面状の広がりを有して前記ベース部と一体成形により重合されるとともに、透光性を有する導光部と、
前記盤面に光軸を沿わせる形で配置された発光素子と、その発光素子が実装された発光基板とを有する発光部と、
前記ベース部の前方側に配置され、遊技者側から見てそのベース部を部分的に覆って装飾する前側装飾部と、を備え、
前記発光素子からの光は、前記導光部の後面に沿って拡散しつつ面状に伝搬し、かつその拡散及び伝搬した光のうちの少なくとも一部が前記盤面で反射して、前記導光部及びベース部をその厚み方向の前方に位置する遊技者側に向けて透過して装飾することを特徴とする。
【０００８】
これらの遊技機用発光素子式装飾装置によれば、ベース部の取付面側でベース部と一体的に重合される導光部において、発光素子からの光が拡散しながら面状に（すなわち、中央部から周辺部に、あるいは周辺部から中央部に）伝搬する。したがって、ベース部や導光部の明るさが中央部と周辺部とで均一化され、導光部やベース部から遊技者側に向かう透過光により光装飾効果を高めることができる。また、このような装飾装置を用いて、入賞装置等の光装飾効果を向上させることができる。しかも、導光部をベース部と一体成形により重合し、盤面に光軸を沿わせる形で発光素子を配置するので、光の拡散性・伝搬性がさらに向上するとともに、発光素子、発光基板等の発光部をコンパクトに導光部及びベース部に組み込むことができる。なお、ベース部の球通過面の一部又は全部にザラザラ面形成加工（シボ加工とも称する）を施すことによって、導光部やベース部を透過した光が表面（ザラザラ面）で乱反射して広範囲での視認性を向上させるとともに、遊技盤の中央部に貫通形成される部品取付孔（ルーターとも称する）が透けて見えるのを防止することもできる。
【０００９】
さらに、ベース部の前方側に配置される前側装飾部でベース部を部分的に覆う場合には、装飾効果をさらに高めるとともに、発光素子、発光基板等の発光部が遊技者の視界に入らないように構成できる。また、導光部の後面を遊技盤の盤面に対して部分的に接触する形態とする場合には、盤面での反射を利用して透過光とすることができるので、導光部やベース部を一層明るく装飾することができる。
【００１０】
なお、導光部の後面が盤面に対して（接触せずに所定の隙間を有して）接近する形態で設置される場合には、導光部及び／又はベース部に反射層を設ける（例えば反射シールを貼る）ことにより、盤面での反射利用の場合と同様に導光部やベース部を一層明るく装飾することができる。そして、このような反射層形成のための反射シールによって、上記した部品取付孔（ルーター）を塞ぐこともできる。
【００１１】
そして、導光部の後面には、ベース部（の取付面）の外形線の内側に（所定距離離間して）位置する導光基準線を通る厚み方向断面において、厚み方向の前方側に窪む凹部を、その導光基準線に沿って連続的に又は断続的に形成することができる。発光素子からの光は、導光基準線に沿って形成された凹部の底及び／又は開口で拡散しつつ導光部の後面を面状に伝搬することになり、凹部（後面３１）での拡散・伝搬により、比較的狭い領域でも効率的に光光が伝わるようになる。このような凹部（エッジ）には、導光基準線に対して横又は斜め方向（法線方向）のきざみ（ギザギザ）を付けるローレット目等がある。
【００１２】
このようなローレット目による場合、具体的には、導光部の後面において、凹部が導光基準線に対してその法線方向に所定の幅を有することにより、凹部の底及び／又は開口は、発光素子からの光を導光基準線に対して法線方向に拡散させるための線状又は帯状のエッジを形成することができる。凹部（ローレット目）のエッジ線（エッジ面）の形成によって、発光素子からの光を導光部の後面において面状に広く拡散・伝搬させることができる。
【００１３】
また、発光素子の光軸を、ベース部と導光部との一体成形部位の内部を通り盤面と平行状に配置することが望ましい。これにより、発光素子の光軸は、一体成形されたベース部と導光部との合計厚み（肉厚）の範囲内に位置するので、導光部（ベース部）に対して発光素子及び発光基板をコンパクトに設置することができ、発光素子から導光部（ベース部）への光損失を抑制することができる。なお、発光素子の光軸をこのようにコンパクトに設置するために、光軸が発光基板に直交する形態で実装されるトップ発光タイプのＬＥＤの他、光軸が発光基板に平行な形態で実装されるサイド発光タイプのＬＥＤを用いることができる。
【００１４】
さらに、ベース部は、そのベース部を部分的に光らせるために、前方側に向かう光軸を有する副発光素子と、その副発光素子が実装され、ベース部に保持される副発光基板と、を有する副発光部を備え、
副発光素子からの光は、前方に位置する遊技者側に向けてベース部を透過する副装飾光としてそれ自身単独の形態で、又は装飾光と混合される複合形態でベース部を装飾することができる。
【００１５】
これにより、副発光素子を用いてベース部の装飾バリエーションを増加させ、光装飾効果をさらに向上させることができる。
【００１６】
このような装飾装置では、発光部の発光基板を、ベース部と前側装飾部との間に位置してそれらベース部及び／又は前側装飾部に保持することができる。これによって、ベース部を発光・装飾するための装飾装置を小型、コンパクトに構成し、コストの上昇を抑制することができる。
【００１７】
そこで、前側装飾部は、その前側装飾部を部分的に光らせるために、前方側に向かう光軸を有する補助発光素子と、その補助発光素子が実装され、ベース部及び前側装飾部の間に位置してそれらベース部及び／又は前側装飾部に保持される補助発光基板と、補助発光素子からの光を前方に位置する遊技者側に向けて透過させるレンズ体と、を有する補助発光部を備え、
遊技者側から見て、補助発光素子と補助発光基板とは前側装飾部の装飾主体で覆われるとともに、レンズ体はその装飾主体に形成された開口に保持・固定され、
発光素子からの光は、導光部及びベース部を透過する装飾光としてそれら導光部及びベース部を装飾する一方、
補助発光素子からの光は、レンズ体を透過する補助装飾光としてそのレンズ体を装飾することができる。
【００１８】
これによって、導光部及びベース部を装飾する装飾光と、レンズ体を装飾する補助装飾光とが、前側装飾部（装飾主体）によって区画された状態で遊技者側に伝わり、装飾光と補助装飾光との混色を避けることができる。
【００１９】
また、レンズ体の受光面を前後方向に傾斜して配置するとともに、その受光面には、レンズ体の水平断面において前方側に窪むレンズ体凹部を補助発光素子の光軸と平行状に複数形成してもよい。このように、レンズ体の受光面を前後方向に傾斜させると、レンズ体には、遊技者側から見て、上側と下側のうち補助発光素子と接近する側の左右方向の中央から、離間する側の左右方向の両側へ広がる補助装飾光が形成される。
【００２０】
具体的には、このような補助装飾光を特定の遊技態様を示す指標（表示）として、次のように利用することも可能である。
（１）レンズ体の受光面が下方へいくほど補助発光素子に接近するように前後方向に傾斜して配置される場合には、補助発光素子からの光は、遊技者側から見てレンズ体の下部にＶ字状に濃く見える補助装飾光を形成する。そこで、例えば始動入賞に基づく当否抽選の結果が大当たりのときに、補助発光素子を点灯させてＶ字状に濃く見える補助装飾光を表示する。
（２）レンズ体の受光面が上方へいくほど補助発光素子に接近するように前後方向に傾斜して配置される場合には、補助発光素子からの光は、遊技者側から見てレンズ体の上部に逆Ｖ字状に濃く見える補助装飾光を形成する。そこで、例えば出玉数が設定値（打ち止め）に達したときに、補助発光素子を点灯させて逆Ｖ字状（山形状）に濃く見える補助装飾光を表示する。
【００２１】
ところで、発光基板と補助発光基板とを、発光素子及び補助発光素子が実装された単一の基板で構成し、その単一の基板をベース部及び／又は前側装飾部に保持させれば、発光に係る部位をユニット化して装飾装置をさらに小型・コンパクトにすることができる。
【００２２】
さらに、発光素子及び補助発光素子が実装された単一の基板と前側装飾部とを、いずれも透光性を有する素材で構成するとともに、その単一の基板の両面をベース部と前側装飾部とにより密着保持させると、発光素子からの光が単一の基板と前側装飾部とを透過して色漏れを生じる場合がある。このような場合には、前側装飾部のレンズ体で発光素子からの光と補助発光素子からの光とを混色する現象が発生しやすくなる。この現象を利用して新たな装飾態様を設定することもできる。
【００２３】
なお、透光性を有する合成樹脂材料として、一般にメタクリル樹脂（アクリル樹脂；ＰＭＭＡ）、ポリカーボネート（ＰＣ）等が用いられ、特にアクリルは透明性が高い。上記したように、導光部をベース部と一体成形により重合する場合、球通過面における遊技球の衝撃や光の拡散性・伝搬性を左右する凹部（エッジ）の寸法精度等を考慮して、衝撃強さに優れ、成形時の収縮率が小さいポリカーボネートが推奨される。
【００２４】
次に、上記課題を解決するために、本発明の遊技機用入賞装置は、
上記の遊技機用発光素子式装飾装置において、
ベース部と前側装飾部との間に配置され、前後方向の軸線周りでの回動変位により遊技球の入球のし易さが変化する一対の回動翼片と、
遊技盤の盤面とは反対側の裏面に固定され、回動翼片を回動変位させるための駆動源と、
その駆動源の駆動力を回動翼片に伝達するための伝動機構と、
を備えることを特徴とする。
【００２５】
このように、装飾装置を備える入賞装置において、中央部の入球部位だけでなく、回動翼片の周辺部にも光装飾効果を持たせることができる。
【発明を実施するための最良の形態】
【００２６】
（実施例１）
以下、図面を参照しながら発明の実施の形態について説明する。図１は本発明に係る遊技機用入賞装置（以下、単に入賞装置ともいう）の一例を後方から見た斜視図、図２はその入賞装置を前方から見た分解斜視図、図３はその入賞装置の平面図、正面図、背面図及びＡ−Ａ断面図を示す。図１に示すように、入賞装置１は遊技盤の盤面２００（図３参照）の前方側（遊技者側）に突出した形にて取り付けられる前方側ユニット２と、前方側ユニット２に着脱可能に取り付けられる後方側ユニット３とを備えている。
【００２７】
図２，図３に示すように、前方側ユニット２は、盤面２００（図３参照）に固定される台板４と台板４の前方側に取り付けられる前側装飾部５とを有している。また、台板４と前側装飾部５との間に一対の回動翼片６，６が配置されている。各回動翼片６，６は、前側装飾部５に支持され、盤面２００と交差（直交）する前後方向の軸線を有する支持軸６ａ，６ａ周りで回動変位する。これによって、一対の回動翼片６，６（入賞口６ｂ）を閉じて遊技球が入球しにくくする状態（図２，図３の状態）と、一対の回動翼片６，６（入賞口６ｂ）を開いて遊技球が入球し易くする状態（図示せず）とに変化する。
【００２８】
一方、後方側ユニット３は、回動翼片６，６を回動変位させるためのソレノイド７（駆動源）等を収納する第一ハウジング３ａと、ソレノイド７の前後方向駆動力を回動翼片６，６の回動変位に変換して伝達するための伝動機構８等を収納する第二ハウジング３ｂとを有する。なお、図２及び図３（ｄ）の符号９は、第一ハウジング３ａに取り付けられ、入賞口６ｂに入賞した遊技球を検知するための検知スイッチ（入球検知手段）である。
【００２９】
図４及び図５に本発明に係る遊技機用発光素子式装飾装置（以下、単に装飾装置ともいう）の一例を示す。装飾装置１００は、透光性（透明性）を有する合成樹脂製（例えばポリカーボネート製）の台板４と、台板４を遊技者側に向けて透過して装飾する発光部３０と、台板４の前方側に配置され、遊技者側から見て台板４を部分的に覆って装飾する前側装飾部５とを備えている。
【００３０】
図４に示す台板４は、遊技盤の盤面２００に固定するためのベース部１０と、ベース部１０との一体成形により重合形成される導光部２０とを有している。ベース部１０は、遊技者側（前方側）から見て所定の広がりを有する板状に形成され、遊技者の位置する前方側に遊技球を通過させるための球通過面１１が形成される一方、反対側（後方側）には遊技盤の盤面２００に取り付けるための取付面１２が形成されている。
【００３１】
また、導光部２０は、ベース部１０の取付面１２側において、自身の後面２１が盤面２００に対して部分的に接触しつつ、盤面２００に沿って面状に広がっている。さらに、発光部３０は、盤面２００（すなわちベース部１０の取付面１２）に光軸Ｏ１を平行状に沿わせる形で配置された１又は複数（例えば２個）のＬＥＤ素子３１，３１（発光素子）と、そのＬＥＤ素子３１，３１が実装された発光基板３２とを有する（図５（ｃ）参照）。ＬＥＤ素子３１，３１からの光は、導光部２０の後面２１に沿って拡散しながら面状に伝搬し、導光部２０及びベース部１０を遊技者側（前方側）に向けて透過し装飾する。そして、後面２１で拡散・伝搬する光のうちの少なくとも一部は、導光部２０の後面２１が部分的に接触する盤面２００で反射して、導光部２０及びベース部１０を遊技者側（前方側）に向けて透過し装飾する。
【００３２】
図４（ｃ）に示すように、発光部３０の発光基板３２は、ベース部１０と前側装飾部５との間に位置させて、ビス等の固定部材３２ａにより前側装飾部５に固定・保持されている（図２参照）。ＬＥＤ素子３１の光軸Ｏ１が、ベース部１０と導光部２０との一体成形部位の内部を通り盤面２００と平行状に配置されている。つまり、ＬＥＤ素子３１の光軸Ｏ１は、一体成形されたベース部１０と導光部２０との合計厚み（すなわち台板４の肉厚）ｔの範囲内に位置する。なお、ＬＥＤ素子３１には、光軸Ｏ１が発光基板３２に平行な形態で実装されるサイド発光タイプを用いている。これらにより、導光部２０（ベース部１０）に対して、発光部３０（ＬＥＤ素子３１及び発光基板３２）がコンパクトに設置されている。
【００３３】
図４（ｃ）に示すような、ベース部１０（取付面１２）の外形線の内側に所定距離離間して位置する導光基準線Ｘを通る厚み方向断面において、導光部２０の後面２１には、厚み方向の前方側に窪む半円形状の凹部２２を、その導光基準線Ｘに沿って連続的に形成している。そして、凹部２２の開口縁（後面２１の後端縁）を繋ぐ連結線は、盤面２００（取付面１２）と一致している。したがって、ＬＥＤ素子３１からの光は、導光基準線Ｘに沿って形成された凹部２２（の底及び開口）で拡散しつつ導光部２０の後面２１を面状に伝搬することになる。凹部２２（後面２１）での拡散・伝搬により、比較的狭い領域でも効率的に光が伝わるようになる。
【００３４】
図４（ａ）に示す導光部２０の後面２１において、凹部２２が導光基準線Ｘに対してその法線方向に所定の幅Ｗを有することにより、凹部２２の底及び開口は、ＬＥＤ素子３１からの光を導光基準線Ｘに対して法線方向に拡散させるための線状のエッジ２３を形成する。凹部２２（ローレット目）のエッジ２３の形成によって、ＬＥＤ素子３１からの光を導光部２０の後面２１において面状に広く拡散・伝搬させることができる。
【００３５】
ところで、図４（ａ）において、エッジ２３（凹部２２）の幅Ｗは、ＬＥＤ素子３１から遠ざかるほど導光基準線Ｘに沿って徐々に広くなるように設定されている。また、エッジ２３（凹部２２）の相互間隔Ｓは、同様に徐々に狭くなるように設定されている。これらの設定はそれぞれ、ＬＥＤ素子３１から遠ざかるにつれて、導光部２０の後面２１（凹部２２）による拡散・伝搬領域（面積）が相対的に大きくなるように機能する。したがって、ＬＥＤ素子３１から離れて光の減衰が大きくなっても、エッジ２３（凹部２２）の上記設定によって明るさの低下が補われ、一様な明るさで透過・装飾することができる。なお、凹部２２の深さについても、ＬＥＤ素子３１から遠ざかるほど導光基準線Ｘに沿って徐々に深くなるように設定することができ、上記と同様の効果が期待できる。
【００３６】
さらに、図４（ｂ）に示すように、前側装飾部５は、その前側装飾部５を部分的に光らせるために、前方側に向かう光軸Ｏ２を有する補助ＬＥＤ素子３３（補助発光素子）と、補助ＬＥＤ素子３３が実装され、ベース部１０及び前側装飾部５の間に位置して前側装飾部５に固定・保持される発光基板３２（補助発光基板）と、補助ＬＥＤ素子３３からの光を前方に位置する遊技者側に向けて透過させるレンズ体３４とを有する補助発光部４０を備える（図５（ｂ）参照）。図５に示すように、発光基板と補助発光基板とを、ＬＥＤ素子３１，３１及び補助ＬＥＤ素子３３が実装された単一の基板３２で構成し、その単一基板３２を前側装飾部５に保持させてある。なお、補助ＬＥＤ素子３３は、光軸Ｏ２が単一基板３２に直交する形態で実装されるトップ発光タイプのＬＥＤを用いている。以上によって、発光に係る部位をユニット化して装飾装置１００をさらに小型・コンパクトにすることができる。
【００３７】
図３（ｄ）からも分かるように、遊技者側から見て、補助ＬＥＤ素子３３と単一基板３２（補助発光基板）とは前側装飾部５の装飾主体５ａで覆われるとともに、レンズ体３４はその装飾主体５ａに形成された開口に保持・固定されている。ＬＥＤ素子３１からの光は、導光部２０及びベース部１０を透過する装飾光となって導光部２０及びベース部１０を装飾する。一方、補助ＬＥＤ素子３３からの光は、レンズ体３４を透過する補助装飾光となってそのレンズ体３４を装飾する。
【００３８】
図３（ｄ）及び図４（ｂ）に示すように、レンズ体３４の受光面３４ａが、上方へいくほど補助ＬＥＤ素子３３に接近するように前後方向に傾斜して配置されている。受光面３４ａには、レンズ体３４の水平断面において前方側に窪む半円形状のレンズ体凹部３４ｂが補助ＬＥＤ素子３３の光軸Ｏ２と平行状に複数形成されている。これによって、補助ＬＥＤ素子３３からの光は、遊技者側から見てレンズ体３４の上部に逆Ｖ字状に濃く見える補助装飾光を形成する。
【００３９】
図２及び図３（ｄ）に示すように、台板４（ベース部１０）と第二ハウジング３ｂとの間に、遊技者側（前方側）に向けて台板４の中央部を透過・装飾する副ＬＥＤ素子３５（副発光素子）と、その副ＬＥＤ素子３５が実装された副発光基板３６とを有する副発光部５０が配置されている。具体的には、副ＬＥＤ素子３５は前方側に向かう軸線Ｏ３を有し、副発光基板３６は、ベース部１０と第二ハウジング３ｂとで挟むようにして、第二ハウジング３ｂ内に保持されている。
【００４０】
したがって、副ＬＥＤ素子３５からの光は、前方に位置する遊技者側に向けてベース部１０を透過する副装飾光としてそれ自身単独の形態で、又は装飾光と混合される複合形態でベース部１０を装飾する。副発光部５０によって、ベース部１０の装飾バリエーションが増加し、光装飾効果がさらに向上する。なお、ベース部１０の球通過面１１の一部又は全部にザラザラ面形成加工（シボ加工）を施すことによって、副ＬＥＤ素子３５からの光を見る際に、遊技盤の中央部に貫通形成される部品取付孔（ルーター；図示せず）が透けて見えるのを防止できる。
【００４１】
このように、導光部２０をベース部１０との一体成形により重合形成して台板４とし、導光部２０の後面２１に光軸Ｏ１を沿わせる形でＬＥＤ素子３１を配置するので、光の拡散性・伝搬性がさらに向上する。また、ＬＥＤ素子３１、発光基板３２等の発光部３０をコンパクトに導光部２０及びベース部１０に組み込むことができる。また、導光部２０の後面２１が遊技盤の盤面２００に対して部分的に接触する形態であり、盤面２００での反射をも利用して透過光とすることができるので、導光部２０やベース部１０を一層明るく装飾することができる。さらに、ベース部１０の前方側に配置される前側装飾部５でベース部１０を部分的に覆うことにより、装飾効果をさらに高めるとともに、ＬＥＤ素子３１、発光基板３２等の発光部３０が遊技者の視界に入らないように構成できる。
【００４２】
ＬＥＤ素子３１の光軸Ｏ１は、一体成形されたベース部１０と導光部２０との合計厚み（台板４の肉厚）ｔの範囲内に位置するので、導光部２０（ベース部１０）に対してＬＥＤ素子３１及び発光基板３２をコンパクトに設置することができ、ＬＥＤ素子３１から導光部２０（ベース部１０）への光損失を抑制することができる。
【００４３】
次に、図１１は導光部２０の後面に形成される凹部の変形例を、図４（ｃ）と同様に表わす。図１１（ａ）では、導光部２０の後面１２１に、厚み方向の前方側に窪む三角刃形状の凹部１２２が形成されている。凹部１２２の開口縁（後面１２１の後端縁）を繋ぐ連結線は、図４（ｃ）と同様に盤面２００（取付面１２）と一致している。ＬＥＤ素子３１の光軸Ｏ１は、凹部１２２よりも前方側のベース部１０内を通過する。
【００４４】
図１１（ｂ）では、導光部２０の後面２２１に、厚み方向の前方側に窪む鋸刃形状の凹部２２２が形成されている。凹部２２２の開口縁（後面２２１の後端縁）を繋ぐ連結線は、図４（ｃ）と同様に盤面２００（取付面１２）と一致している。ＬＥＤ素子３１の光軸Ｏ１は、後面２２１を通り導光部２０の本体部と凹部２２２とを交互に出入しながら導光部２０を通過する。
【００４５】
図１１（ｃ）では、導光部２０の後面３２１に、厚み方向の前方側に窪む半円形状の凹部３２２が形成されている。後面３２１の後端縁を繋ぐ連結線３２１ａ（凹部３２２の開口縁を繋ぐ連結線でもある）は、盤面２００（取付面１２）よりも前方側に位置している。ＬＥＤ素子３１の光軸Ｏ１は、凹部３２２よりも前方側のベース部１０内を通過する。
【００４６】
これらの事例によって明らかなように、凹部２２，１２２，２２２，３２２（後面２１，１２１，２２１，３２１）は、ＬＥＤ素子３１の光軸Ｏ１と斜め方向に交差する形状を有することにより、ＬＥＤ素子３１からの光を拡散・伝搬する機能（能力）が増大すると考えられる。
【００４７】
（実施例２）
図６〜図８に本発明に係る遊技機用入賞装置（以下、単に入賞装置ともいう）の他の例を示す。ここに例示する入賞装置１０１と実施例１（図１〜図３）に示す入賞装置１との差異は、図９，図１０に示す装飾装置１０２と図４，図５に示す装飾装置１００（実施例１）との差異に帰着する。
【００４８】
図９，図１０に示す装飾装置１０２は、図４，図５に示す装飾装置１００（実施例１）と次の点で異なっている。
（１）補助ＬＥＤ素子３３が実装される補助発光基板３７は、ＬＥＤ素子３１が実装される発光基板３２とは別体の基板で構成されている。発光基板３２は、台板４を厚み方向に貫通して前後方向に配置され、台板４と前側装飾部５とで挟むようにして保持されている（図７参照）。一方、補助発光基板３７は、ビス等の固定部材３７ａにより台板４（ベース部１０）の球通過面１１に固定されている（図７参照）。なお、ＬＥＤ素子３１にも、光軸Ｏ１が発光基板３２に直交する形態で実装されるトップ発光タイプのＬＥＤを用いている。
（２）副発光部５０（副ＬＥＤ素子３５及び副発光基板３６）を備えていない。
【００４９】
なお、実施例２（図６〜図１０）において、実施例１（図１〜図５）と共通する機能を有する部分には同一符号を付して説明を省略する。
【図面の簡単な説明】
【００５０】
【図１】本発明に係る入賞装置の一例を後方から見た斜視図。
【図２】図１の入賞装置を前方から見た分解斜視図。
【図３】図１の入賞装置の平面図、正面図、背面図及びＡ−Ａ断面図。
【図４】図１に示す装飾装置の背面図、Ｂ−Ｂ断面図及びＣ−Ｃ拡大断面図。
【図５】単一基板の取付状態を示す斜視図。
【図６】本発明に係る入賞装置の他の例を後方から見た斜視図。
【図７】図６の入賞装置を前方から見た分解斜視図。
【図８】図６の入賞装置の正面図、背面図及びＤ−Ｄ断面図。
【図９】図６に示す装飾装置の背面図、Ｅ−Ｅ断面図及びＦ−Ｆ拡大断面図。
【図１０】発光基板及び補助発光基板の取付状態を示す斜視図。
【図１１】凹部の変形例を示す説明図。
【符号の説明】
【００５１】
１，１０１  入賞装置（遊技機用入賞装置）
４          台板
５          前側装飾部
５ａ        装飾主体
５ｂ        開口
６          回動翼片
７          ソレノイド（駆動源）
８          伝動機構
１０        ベース部
１１        球通過面
１２        取付面
２０        導光部
２１        後面
２２        凹部
２３        エッジ
３０        発光部
３１        ＬＥＤ素子（発光素子）
３２        発光基板（単一基板）
４０        補助発光部
３３        補助ＬＥＤ素子（補助発光素子）
３４        レンズ体
３４ａ      受光面
３４ｂ      レンズ体凹部
３７        補助発光基板
５０        副発光部
３５        副ＬＥＤ素子（副発光素子）
３６        副発光基板
１００，１０２  装飾装置（遊技機用発光素子式装飾装置）
【図１】
2006175064.tif 000003
【図２】
2006175064.tif 000004
【図３】
2006175064.tif 000005
【図４】
2006175064.tif 000006
【図５】
2006175064.tif 000007
【図６】
2006175064.tif 000008
【図７】
2006175064.tif 000009
【図８】
2006175064.tif 000010
【図９】
2006175064.tif 000011
【図１０】
2006175064.tif 000012
【図１１】
2006175064.tif 000013
【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、透光性を有するベース部と、
そのベース部の取付面側において、自身の後面が前記盤面に対して接近又は接触する形態で、その盤面に沿って面状の広がりを有して前記ベース部と一体成形により重合されるとともに、透光性を有する導光部と、
前記盤面に光軸を沿わせる形で配置された発光素子と、その発光素子が実装された発光基板とを有する発光部と、を備え、
前記発光素子からの光は、前記導光部の後面に沿って拡散しつつ面状に伝搬し、かつ前記導光部及び／又はベース部をその厚み方向の前方に位置する遊技者側に向けて透過して装飾することを特徴とする遊技機用発光素子式装飾装置。
【請求項２】
前記導光部の後面が前記盤面に対して所定の隙間を有して接近する形態で配置されるとともに、前記導光部及び／又はベース部には反射層が設けられ、
前記発光素子からの光は、前記導光部の後面に沿って拡散しつつ面状に伝搬し、かつその拡散及び伝搬した光のうちの少なくとも一部が前記反射層で反射して、前記導光部及びベース部をその厚み方向の前方に位置する遊技者側に向けて透過して装飾する請求項１に記載の遊技機用発光素子式装飾装置。
【請求項３】
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、透光性を有するベース部と、
そのベース部の取付面側において、自身の後面が前記盤面に対して部分的に接触する形態で、その盤面に沿って面状の広がりを有して前記ベース部と一体成形により重合されるとともに、透光性を有する導光部と、
前記盤面に光軸を沿わせる形で配置された発光素子と、その発光素子が実装された発光基板とを有する発光部と、
前記ベース部の前方側に配置され、遊技者側から見てそのベース部を部分的に覆って装飾する前側装飾部と、を備え、
前記発光素子からの光は、前記導光部の後面に沿って拡散しつつ面状に伝搬し、かつその拡散及び伝搬した光のうちの少なくとも一部が前記盤面で反射して、前記導光部及びベース部をその厚み方向の前方に位置する遊技者側に向けて透過して装飾することを特徴とする遊技機用発光素子式装飾装置。
【請求項４】
前記導光部の後面には、前記ベース部の外形線の内側に位置する導光基準線を通る厚み方向断面において、厚み方向の前方側に窪む凹部が、その導光基準線に沿って連続的に又は断続的に形成され、
前記発光素子からの光は、前記導光基準線に沿って形成された凹部の底及び／又は開口で拡散しつつ前記導光部の後面を面状に伝搬する請求項１ないし３のいずれか１項に記載の遊技機用発光素子式装飾装置。
【請求項５】
前記発光素子の光軸は、前記ベース部と導光部との一体成形部位の内部を通り前記盤面と平行状に配置されている請求項１ないし４のいずれか１項に記載の遊技機用発光素子式装飾装置。
【請求項６】
前記ベース部は、そのベース部を部分的に光らせるために、前方側に向かう光軸を有する副発光素子と、その副発光素子が実装され、前記ベース部に保持される副発光基板と、を有する副発光部を備え、
前記副発光素子からの光は、前方に位置する遊技者側に向けて前記ベース部を透過する副装飾光としてそれ自身単独の形態で、又は前記装飾光と混合される複合形態で前記ベース部を装飾する請求項１ないし５のいずれか１項に記載の遊技機用発光素子式装飾装置。
【請求項７】
前記発光部の発光基板は、前記ベース部と前側装飾部との間に位置してそれらベース部及び／又は前側装飾部に保持されている請求項３に記載の遊技機用発光素子式装飾装置。
【請求項８】
前記前側装飾部は、その前側装飾部を部分的に光らせるために、前方側に向かう光軸を有する補助発光素子と、その補助発光素子が実装され、前記ベース部及び前側装飾部の間に位置してそれらベース部及び／又は前側装飾部に保持される補助発光基板と、前記補助発光素子からの光を前方に位置する遊技者側に向けて透過させるレンズ体と、を有する補助発光部を備え、
遊技者側から見て、前記補助発光素子と補助発光基板とは前記前側装飾部の装飾主体で覆われるとともに、前記レンズ体はその装飾主体に形成された開口に保持・固定され、
前記発光素子からの光は、前記導光部及びベース部を透過する装飾光としてそれら導光部及びベース部を装飾する一方、
前記補助発光素子からの光は、前記レンズ体を透過する補助装飾光としてそのレンズ体を装飾する請求項３又は７に記載の遊技機用発光素子式装飾装置。
【請求項９】
前記レンズ体の受光面は前後方向に傾斜して配置されるとともに、
その受光面には、前記レンズ体の水平断面において前方側に窪むレンズ体凹部が前記補助発光素子の光軸と平行状に複数形成されている請求項８に記載の遊技機用発光素子式装飾装置。
【請求項１０】
前記発光基板と補助発光基板とは、前記発光素子及び補助発光素子が実装された単一の基板で構成され、その単一の基板は前記ベース部及び／又は前側装飾部に保持されている請求項８又は９に記載の遊技機用発光素子式装飾装置。
【請求項１１】
請求項３又は７ないし１０のいずれか１項に記載の遊技機用発光素子式装飾装置において、
前記ベース部と前記前側装飾部との間に配置され、前後方向の軸線周りでの回動変位により遊技球の入球のし易さが変化する一対の回動翼片と、
前記遊技盤の盤面とは反対側の裏面に固定され、前記回動翼片を回動変位させるための駆動源と、
その駆動源の駆動力を前記回動翼片に伝達するための伝動機構と、
を備えることを特徴とする遊技機用入賞装置。
【手続補正２】
【補正対象書類名】明細書
【補正対象項目名】００１１
【補正方法】変更
【補正の内容】
【００１１】
そして、導光部の後面には、ベース部（の取付面）の外形線の内側に（所定距離離間して）位置する導光基準線を通る厚み方向断面において、厚み方向の前方側に窪む凹部を、その導光基準線に沿って連続的に又は断続的に形成することができる。発光素子からの光は、導光基準線に沿って形成された凹部の底及び／又は開口で拡散しつつ導光部の後面を面状に伝搬することになり、凹部（後面３１）での拡散・伝搬により、比較的狭い領域でも効率的に光が伝わるようになる。このような凹部（エッジ）には、導光基準線に対して横又は斜め方向（法線方向）のきざみ（ギザギザ）を付けるローレット目等がある。